(57)【特許請求の範囲】
【請求項１】
重ね織りした接結部の終端側の部分に、フリル布部とベース布部を前記フリル布部を上にして上下に分離するように設け、
前記フリル布部と前記ベース布部の終端を次の接結部の始端に直接連結して、そのフリル布部とベース布部の終端と次の接結部の始端の連結部を、前記次の接結部を切り離す部分としたことを特徴とするフリル付き織布。
【請求項２】
請求項１記載のフリル付き織布において、
上下に二重に重ね織りした接結部の終端側の部分に、１枚のフリル布部とベース布部を前記フリル布部を上にして上下に分離するように設けたことを特徴とするフリル付き織布。
【請求項３】
請求項１または２に記載のフリル付き織布において、
前記接結部のフリル布部に接する部分に、伸ばして糊で固めた収縮性を有する糸を緯糸として織り込み、その糊を洗い落して前記接結部のフリル布部に接する部分を収縮させることによりフリル布部に形成されるギャザーを有することを特徴とするフリル付き織布。
【請求項４】
上下に三重に重ね織りした第１の接結部の終端から延長するように上下に二重に織り重ねた第２の接結部を設け、前記第１の接結部の終端側の部分に上フリル布部を設けると共に、前記第２の接結部の終端側の部分に、下フリル布部とベース布部を前記下フリル布部を上にして上下に分離するように設けたことを特徴とするフリル付き織布。
【請求項５】
請求項４に記載のフリル付き織布において、
前記第１の接結部の上フリル布部に接する部分と、前記第２の接結部の下フリル布部及びベース布部に接する部分に、それぞれ伸ばして糊で固めた収縮性を有する糸を緯糸として織り込み、その糊を洗い落して前記第１の接結部の上フリル布部に接する部分及び前記第２の接結部の下フリル布部及びベース布部に接する部分を収縮させることにより前記上フリル布部及び下フリル布部に形成されるギャザーを有することを特徴とするフリル付き織布。
【請求項６】
請求項１から請求項５のいずれか１項に記載のフリル付き織布において、
全体がジャカード織りまたはドビー織りにより作成されていることを特徴とするフリル付き織布。
【発明の詳細な説明】
【技術分野】
【０００１】
本発明は、フリル付きスカートやフリルつきブラウス等の製造に用いるフリル付き織布に関する。
【背景技術】
【０００２】
衣料品分野において、フリル付きスカートやフリルつきブラウス等を製造する場合、フリルの端部処理や縫い付けは、殆どミシンを使用した縫製により行われている。
例えば、１段のフリル付きスカートを製造する場合、従来は、所望の布地を所望の幅に裁断して１枚のフリル布を作り、そのフリル布の端部のほつれを防ぐための処理を行う。フリルにギャザーを付ける場合は、フリル布の上端側部分を縫い縮めることで、均等にギャザーを施しておく。そして、フリルとは別に作成したスカート布にフリル布の上辺部を縫い付けてフリル付きスカートとして完成させる（例えば、非特許文献１参照）。
【先行技術文献】
【非特許文献】
【０００３】
【非特許文献１】渡部サト著／「直線縫いなのにきれいなシルエットのスカート」／河出書房新社出版／２００６年５月３０日発行／第４１頁
【発明の概要】
【発明が解決しようとする課題】
【０００４】
しかしながら、上述した従来の技術においては、以下の問題がある。
【０００５】
すなわち、従来の技術では、上述したフリル布を作るための布地の裁断作業としては２工程必要であり、またフリル布の端部のほつれを防ぐための処理方法としては、メローロック、三巻、千鳥三巻等の方法があるが、その作業として２工程が必要である。フリルにギャザーを付ける場合は、上記のように各フリル布の上端側部分を縫い縮めるが、その作業として１工程が必要である。スカート布にフリル布を縫い付ける場合、仕上げをきれいにみせるには、フリルの縫い付け位置に線で印をつけ、その目印の線の位置にフリル布を本縫ミシンで縫い付けるという手順がとられるが、この作業に２工程を必要とし、更にフリル布の縫い付け位置を隠すために表縫ミシンで中縫いし、本縫ミシンで押えステッチを施すための作業として２工程が必要である。
【０００６】
このように従来の技術では１枚のフリルを作ってスカート布に縫い付ける場合でも、最低９工程分の作業を必要とするため、製造に多くの手間と時間がかかり、製造コストが高くなるという問題がある。
本発明は、このような問題を解決することを課題とする。
【課題を解決するための手段】
【０００７】
そのため、本発明のフリル付き織布は、上下に二重に重ね織りした接結部の終端側の部分に、フリル布部とベース布部を前記フリル布部を上にして上下に分離するように設け、 前記フリル布部と前記ベース布部の終端を次の接結部の始端に直接連結して、そのフリル布部とベース布部の終端と次の接結部の始端の連結部を、前記次の接結部を切り離す部分としたことを特徴とする。
【発明の効果】
【０００８】
このようにした本発明は、接結部とフリル布部及びベース布部を連続して織り上げることができるので、フリル布部及びベース布部の終端のほつれを防止するためのメローロック等の加工を施すだけで簡単にきれいなフリルを作ることができ、従来に比べて１／４の工程でフリルを完成させることができると共に、熟練を要する難しい縫製の技術が不要となるので、簡単にきれいなフリル付きスカートやフリル付きブラウス等を低コストで製造することができるという効果が得られる。
【図面の簡単な説明】
【０００９】
【図１】第１の実施例を示す一重フリル付き織布の側面図
【図２】第１の実施例を示す要部斜視図
【図３】第２の実施例を示す二重フリル付き織布の側面図
【図４】第２の実施例を示す要部斜視図
【発明を実施するための形態】
【００１０】
以下、図面を参照して本発明によるフリル付き織布の実施例を説明する。
【実施例１】
【００１１】
図１は第１の実施例を示す一重フリル付き織布の側面図、図２は第１の実施例を示す要部斜視図で、図において１は接結部、２はフリル布部、３はベース布部であり、これら接結部１、フリル布部２、ベース布部３は、ジャカード織機により連続的かつ一体的に織り上げられている。
【００１２】
ここで、接結部１はスカートやブラウス等の主要部となる布地部分で、上下に二重に重ね織りした織物組織が互いに分離しないように、上下の経糸（たていと）と緯糸（よこいと）を結合させた構造を有しており、この接結部１の裾側（終端側）の部分に、飾りのフリルとなるフリル布部２と、その下地となるベース布部３が、フリル布部２を上にして上下に分離するように設けられていて、フリル布部２とベース布部３の終端は連続する次の接結部１の始端に連結するように織られている。
【００１３】
接結部１とフリル布部２及びベース布部３との境目部分は、横方向の直線状だけでなくデザイン性を向上させるために波状、ジグザグ状、斜線状等の任意の形状にすることができ、また境目部分に図２に示したように花柄等の模様４を織り込むことも可能である。
【００１４】
フリル布部２にギャザーを付ける場合は、接結部１のフリル布部２及びベース布部３との接する部分に緯糸として収縮性を有するウレタン糸を用い、このウレタン糸を伸ばして糊で固めておき、緯糸として織り込んだ後、糊を洗い落とすことで前記のウレタン糸を収縮させ、それによりフリル布部２に均等な間隔でギャザーを作り出すことができる。
【００１５】
次に上述した構成の作用について説明すると、まず図１に示した（イ）の部分、つまりフリル布部２及びベース布部３の終端と次の接結部１の始端の連結部分を鋏等の切断具で切断する。これによりフリル布部２とベース布部３は、図２に示したように終端で切り離されるので、フリル布部２とベース布部３の終端のほつれを防止するため、メローロック等の加工を施すことで、フリルが完成する。
【００１６】
尚、フリル布部２及びベース布部３の終端と次の接結部１の始端の連結部分を切断した後、あるいは切断時にフリル布部２の裾の終端部を波状、ジグザグ状、斜線状等の任意の形状に切断することでデザイン性を向上させることができる。
【００１７】
このようにしてフリルを完成させたフリル付き織布は、縫製によりフリル付きスカートを容易に製造することができる他、このフリル付き織布を利用することで胴部や袖にフリルのついたブラウス等の衣装を製造することも可能であり、更にフリルつきの装飾品、小物等の製造に用いることができる。
【００１８】
以上説明したように第１の実施例によるフリル付き織布は、上下に二重に織り重ねた接結部１と、この接結部１の裾側部分に、飾りのフリルとなるフリル布部２と、その下地となるベース布部３が、フリル布部２を上にして上下に分離するように設けられるように連続的かつ一体的に織り上げたものとしているため、フリル布部２とベース布部３の終端のほつれを防止するためのメローロック等の加工を施すだけで簡単にきれいなフリルを作ることができ、しかも接結部１とフリル布部２とベース布部３は、例えばスカートを製造する場合、スカートのウエストから裾まで一体に織り上げることができるので、製造が極めて容易である。
【００１９】
また、接結部１のフリル布部２及びベース布部３と接する部分に、伸ばして糊で固めたウレタン糸を緯糸として織り込み、その糊を洗い落としてウレタン糸を収縮させることによりフリル布部２に均等な間隔でギャザーを作り出すことができる。
【００２０】
このように第１の実施例によるフリル付き織布は、１枚のフリル布部と１枚のベース布部の終端のほつれを防止するためのメローロック等の加工を施すだけの２工程でフリルを作ることができるので、フリルの完成までの工程が従来行われていた縫製による通常のフリル加工に比べて短縮され、従来に比べてほぼ１／４の工程で完成させることができ、しかも熟練を要する難しい縫製の技術が不要となるので、簡単にきれいなフリル付きスカートやフリル付きブラウス等を低コストで製造することができるという効果が得られる。
【実施例２】
【００２１】
図３は第２の実施例を示す二重フリル付き織布の側面図、図４は第２の実施例を示す要部斜視図で、この第２の実施例では、スカートやブラウス等の主要部となる布地部分として第１の接結部１ａ及び第２の接結部１ｂと、飾りのフリルとなる上フリル布部２ａ、下フリル布部２ｂと、その下地となるベース布部３がジャカード織機により連続的かつ一体的に織り上げられている。
【００２２】
第１の接結部１ａは、上下に三重に重ね織りし、その三重になっている織物組織が互いに分離しないように、上下の経糸（たていと）と緯糸（よこいと）を結合させた構造を有しており、第１の接結部１ａに続く第２の接結部１ｂは上下に二重に重ね織りして、その二重になっている織物組織が互いに分離しないように、上下の経糸（たていと）と緯糸（よこいと）を結合させた構造を有している。つまり、二重の第２の接結部１ｂは三重の第１の接結部１ａの下２層を延長させたかたちで織られている。
【００２３】
上フリル布部２ａは第１の接結部１ａの裾側（終端側）の部分に設けられ、下フリル布部２ｂとベース布部３は、上フリル布部２ａの下側に位置するように第２の接結部１ｂの裾側（終端側）の部分に下フリル布部２ｂを上にして上下に分離するように設けられており、そして、これら上フリル布部２ａ及び下フリル布部２ｂとベース布部３の終端は連続する次の接結部１ａの始端に連結するように織られている。
【００２４】
この第２の実施例においても、第１の接結部１ａと上フリル布部２ａとの境目部分は、横方向の直線状だけでなくデザイン性を向上させるために波状、ジグザグ状、斜線状等、任意の形状にすることができ、また境目部分に第１の実施例と同様に花柄等の模様４（図２参照）を織り込むことも可能である。無論、第２の接結部１ｂと下フリル布部２ｂおよびベース布部３との境目部分も、同様にすることが可能である。
【００２５】
また、上フリル布部２ａ及び下フリル布部２ｂにギャザーを付ける場合は、第１の接結部１aの上フリル布部２ａと接する部分、及び第２の接結部１ｂと下フリル布部２ｂ及びベース布部３と接する部分に、緯糸として収縮性を有する糸としてウレタン糸を用い、このウレタン糸を伸ばして糊で固めておき、緯糸として織り込んだ後、糊を洗い落とすことで、前記のウレタン糸を収縮させ、それにより上フリル布部２ａ及び下フリル布部２ｂに均等な間隔でギャザーを作り出すことができる。
【００２６】
次に上述した構成の作用について説明すると、まず図３に示した（イ）の部分、つまり上フリル布部２ａ及び下フリル布部２ｂとベース布部３の終端と次の第１の接結部１ａの始端の連結部分を鋏等の切断具で切断する。これにより上フリル布部２ａ及び下フリル布部２ｂとベース布部３は、図４に示したように終端で切り離されるので、上フリル布部２ａ及び下フリル布部２ｂとベース布部３の終端のほつれを防止するため、それぞれメローロック等の加工を施すことで、フリルが完成する。
【００２７】
尚、上フリル布部２ａ及び下フリル布部２ｂとベース布部３の終端と次の第１の接結部１ａの始端の連結部分を切断した後、あるいは切断時に上フリル布部２ａ及び下フリル布部２ｂの終端部を波状、ジグザグ状、斜線状等の任意の形状に切断することでデザイン性を向上させることができる。
【００２８】
このようにしてフリルを完成させた二重フリル付き織布は、縫製により二重フリル付きスカートを容易に製造することができる他、このフリル付き織布を利用することで胴部や袖にフリルのついたブラウス等の衣装を製造することも可能であり、更にフリルつきの装飾品、小物等の製造に用いることができる。
【００２９】
以上説明したように第２の実施例による二重フリル付き織布は、上下に三重に重ね織りした第１の接結部１ａと、上下に二重に重ね織りした第２の接結部１ｂと、第１の接結部１ａの裾側部分に設けられた飾りのフリルとなる上フリル布部２ａと、第２の接結部１ｂの裾側部分に設けられた飾りのフリルとなる下フリル布部２ｂ及びその下地となるベース布部３を連続的かつ一体的に織り上げたものとしているため、上フリル布部２ａ及び下フリル布部２ｂとベース布部３の終端のほつれを防止するためのメローロック等の加工を施すだけで簡単にきれいな二重のフリルを作ることができ、しかも第１の接結部１ａ及び第２の接結部１ｂと、上フリル布部２ａ及び下フリル布部２ｂとベース布部３は、例えばスカートを製造する場合、スカートのウエストから裾まで一体に織り上げることができるので、製造が極めて容易である。
【００３０】
また、第１の接結部１ａの上フリル布部２ａと接する部分、及び第２の接結部１ｂと下フリル布部２ｂ及びベース布部３と接する部分に、伸ばして糊で固めたウレタン糸を緯糸として織り込むことで、その糊を洗い落としてウレタン糸を収縮させることにより上フリル布部２ａ及び下フリル布部２ｂに均等な間隔でギャザーを作り出すことができる。
【００３１】
このように第２の実施例による二重フリル付き織布は、２枚のフリル布部と１枚のベース布部の終端のほつれを防止するためのメローロック等の加工を施すだけの３工程でフリルを作ることができるので、フリルの完成までに要する工程が、従来行われていた縫製による通常のフリル加工に比べて短縮され、従来に比べてほぼ１／３の工程で完成させることができ、しかも熟練を要する難しい縫製の技術が不要となるので、簡単にきれいな二重フリル付きスカートや二重フリル付きブラウス等を低コストで製造することができるという効果が得られる。
【００３２】
このようにして二重フリルを完成させたフリル付き織布は、縫製によりフリル付きスカートを容易に製造することができる他、このフリル付き織布を利用することで胴部や袖に二重フリルのついたブラウス等の衣装を製造することも可能であり、更に二重フリルつきの装飾品、小物等の製造に用いることができる。
【００３３】
このように第２の実施例による二重フリル付き織布は、２枚のフリル布部と１枚のベース布部の終端のほつれを防止するためのメローロック等の加工を施すだけの３工程で二重フリルを作ることができるので、二重フリルの完成までの工程が縫製による通常のフリル加工に比べて短縮され、従来に比べて１／３の工程で完成させることができ、しかも熟練を要する難しい縫製の技術が不要となるので、簡単にきれいな二重フリル付きスカートやフリル付きブラウス等を低コストで製造することができるという効果が得られる。
【００３４】
尚、上述した第１、第２実施例では、全体をジャカード織により織り上げるものとしたが、ドビー織等により織り上げるものとしてもよい。
【符号の説明】
【００３５】
１    接結部
１ａ  第１の接結部
１ｂ  第２の接結部
２    フリル布部
２ａ  上フリル布部
２ｂ  下フリル布部
３    ベース布部
４    模様
【図１】
0005222338.tif 000002
【図２】
0005222338.tif 000003
【図３】
0005222338.tif 000004
【図４】
0005222338.tif 000005